【事件の表示】
　特願２００３−１８９８４０「発光ダイオード駆動回路」拒絶査定不服審判事件〔平成１７年　１月２７日出願公開、特開２００５−　２６４３１〕について、次のとおり審決する。
【結　論】
　本件審判の請求は、成り立たない。
【理　由】
第１　手続の経緯 
　本願は、平成１５年７月１日の出願であって、平成２０年５月２３日付けで手続補正がなされたが、平成２１年２月２日付けで拒絶査定がなされ、これに対し、同年３月１１日に拒絶査定不服審判が請求されるとともに、同年４月１０日付けで手続補正がなされたものである。
　
　
第２　平成２１年４月１０日付け手続補正についての補正却下の決定
　
［補正却下の決定の結論］ 
　平成２１年４月１０日付けの手続補正を却下する。 
　
［理由］ 
１．補正の内容 
　平成２１年４月１０日付けの手続補正（以下「本件補正」という。）は、補正前の請求項１を以下のとおりの請求項１に補正することを含むものである。
「電源と、
　複数の順方向電圧の異なる３色の発光ダイオードと、
　前記電源電圧の変換に用いられ、前記電源電圧、前記３色の各発光ダイオードの駆動電圧及び負荷電流に応じた周波数及びデューティー比が、前記３色の各発光ダイオードに対応付けられて格納されたメモリテーブルと、
　前記電源からエネルギが供給されるインダクタを有し、前記メモリテーブルに格納された前記周波数及びデューティー比に応じて前記インダクタがエネルギのチャージと放出とを繰り返すことにより、前記電源電圧を前記３色の各発光ダイオードのそれぞれの順方向電圧に対応した駆動電圧に時間的に切り替えながら変換して前記各発光ダイオードに供給する電圧変換手段と、
　前記電圧変換手段により得られた前記３色の発光ダイオードのそれぞれの順方向電圧に対応した前記駆動電圧を時分割で対応した発光ダイオードに順次印加する切り換え手段と、
　を具備することを特徴とする発光ダイオード駆動回路。」
　
２．補正の目的
　請求項１に係る上記補正は、補正前の請求項１の「前記電源電圧を前記３色の各発光ダイオードの順方向電圧に対応した駆動電圧に変換して前記各発光ダイオードに供給する電圧変換手段」を「前記電源電圧を前記３色の各発光ダイオードのそれぞれの順方向電圧に対応した駆動電圧に時間的に切り替えながら変換して前記各発光ダイオードに供給する電圧変換手段」に限定するとともに、補正前の請求項１の「前記電圧変換手段により得られた前記駆動電圧を時分割で前記３色の各発光ダイオードのいずれかに順次印加する切り換え手段」を「前記電圧変換手段により得られた前記３色の発光ダイオードのそれぞれの順方向電圧に対応した前記駆動電圧を時分割で対応した発光ダイオードに順次印加する切り換え手段」に限定するものであるので、平成１８年法律第５５号改正附則第３条第１項によりなお従前の例によるとされる同法による改正前の特許法第１７条の２第４項第２号の特許請求の範囲の減縮を目的とするものである。
　
３．独立特許要件
　本件補正後の請求項１に記載された発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下検討する。 
　
（１）引用例
　原査定の拒絶理由において引用され、本願の出願前に頒布された刊行物である特開２００３−１０７４２４号公報（以下「引用例」という。）には下記の記載がある。
　
ア「【０００２】
【従来の技術】液晶表示装置のカラー表示方式として、複数の異なる色を所定の周期で順次発光させ、これに同期して画素電極をオン／オフ制御することによりカラー表示を行うフィールドシーケンシャル方式が知られており、例えば、特開２０００−２８９８４号公報に開示されている。」
　
イ「【００３３】
【発明の実施の形態】以下、本発明の実施の形態について図面を適宜参照しながら説明する。
【００３４】（第１の実施形態）図１は、本発明の第１の実施形態に係るフィールドシーケンシャル方式の液晶表示装置における照明駆動制御装置の回路図である。本実施形態及び以下の実施形態において、照明駆動制御装置以外の構成については上述した従来の構成と同様であるため、説明を省略する。
【００３５】図１に示すように、照明駆動制御装置は、一次側及び二次側にそれぞれ一次巻線及び二次巻線を有するスイッチングトランジスタ１２を備えている。スイッチングトランス１２の一次側には、パルス発生器２，ＡＮＤゲート４，ＯＲゲート６，スイッチングトランジスタ８及び直流電源１０が設けられ、スイッチングトランス１２の二次側には、整流ダイオード１４，ＲＧＢの各色ＬＥＤ１６ａ，１６ｂ，１６ｃ，発光制御トランジスタ１８ａ，１８ｂ，１８ｃ及び可変抵抗器２０ａ，２０ｂ，２０ｃが設けられている。
【００３６】パルス発生器２は、周波数が３０ｋＨｚ〜１００ｋＨｚ程度のパルス信号ＰsigをＡＮＤゲート４に入力する。このＡＮＤゲート４には、信号供給装置５から供給されるＲＧＢの発光制御信号Ｒsig、Ｇsig、Ｂsigが、これらのＯＲ論理を取るＯＲゲート６を介して入力される。発光制御信号Ｒsig、Ｇsig、Ｂsigはパルス信号であり、それぞれのパルス幅（即ち、発光時間）に関する発光時間情報がＥＥＰＲＯＭ（Electrically Erasable Programmable Read-Only Memory）などの記憶装置７に予め格納されている。
【００３７】スイッチングトランジスタ８は、発光制御信号Ｒsig、Ｇsig、Ｂsigのいずれかとパルス信号ＰｓとのＡＮＤ論理結果に基づく信号がゲートに入力されることにより、スイッチングを行う。このスイッチングに応じて、直流電源１０によりスイッチングトランス１２の一次側に電流が流れる。
【００３８】スイッチングトランス１２の二次側における二次巻線の端部には、整流ダイオード１４を介してバックライトのＲＧＢの各色ＬＥＤ１６ａ〜１６ｃが並列に接続されている。整流ダイオード１４と各色ＬＥＤ１６ａ〜１６ｃのと間には、それぞれ発光制御トランジスタ１８ａ〜１８ｃ及び可変抵抗器２０ａ〜２０ｃが配置されている。発光制御トランジスタ１８ａ〜１８ｃのゲートには、それぞれ対応する発光制御信号Ｒsig、Ｇsig、Ｂsigが入力される。尚、図１においては、各色ＬＥＤ１６ａ〜１６ｃをそれぞれ１つのみ示しているが、実際にはそれぞれ複数個設置される。
【００３９】このように構成された照明駆動制御装置によれば、信号供給装置５からの発光制御信号Ｒsig、Ｇsig、Ｂsigの入力に基づいて、対応する各色ＬＥＤ１６ａ〜１６ｃが発光する。発光制御信号Ｒsig、Ｇsig、Ｂsigは、発光制御トランジスタ１８ａ〜１８ｃのゲートだけでなく、ＯＲゲート６を介してＡＮＤゲート４に入力されるので、発光制御信号Ｒsig、Ｇsig、Ｂsigの入力期間中のみスイッチングトランジスタ８がオン状態になる。したがって、各色ＬＥＤ１６ａ〜１６ｃが発光しない画素電極への書き込み期間中は、スイッチングトランス１２の二次側に電流が流れるのを防ぐことができ、省電力化を図ることができる。図２にタイミングチャートで示すように、スイッチングトランジスタ８に入力される信号（Ｔｒ−Ｇａｔｅ）は、本実施形態においてはパルス信号となる。
・・・
【００６７】（第４の実施形態）図１１は、本発明の第４の実施形態に係るフィールドシーケンシャル方式の液晶表示装置における照明駆動制御装置の回路図である。本実施形態においては、パルス幅を調整可能なパルス発生器２１を直接スイッチングトランジスタ８のゲートに接続している。このパルス発生器２１には、パルス信号のデューティ比を記憶する記憶手段７が接続されている。その他の構成要素については第１の実施形態と同様であるため、同じ構成要素に同一の符号を付して詳細な説明を省略する。
【００６８】このような構成によれば、パルス発生器２１により発生させるパルス信号のデューティ比をＲＧＢのそれぞれに対して設定して、パルス発生器２１に接続されたＥＥＰＲＯＭなどの記憶装置７に予め格納しておくことにより、各色ＬＥＤ１６ａ〜１６ｃの駆動電圧を調整することができる。例えば、図１２にタイミングチャートで示すように、赤色ＬＥＤ１６ａの発光時は、パルス信号の正側の時間を長くして、スイッチングトランス１２の二次側に発生する正電圧を低くする。一方、緑色ＬＥＤ１６ｂの発光時は、パルス信号の負側の時間を長くして、スイッチングトランス１２の二次側に発生する正電圧を高くする。このような制御により、表示色の色度調整を良好に行うことができる。尚、スイッチングトランス１２の極性が変わると上記パルス信号と発生電圧との関係が逆になることは言うまでもない。」
　
　上記ア及びイの記載から、引用例には、以下の発明（以下「引用発明」という。）が記載されているものと認められる。
「複数の異なる色を所定の周期で順次発光させ、これに同期して画素電極をオン／オフ制御することによりカラー表示を行うフィールドシーケンシャル方式の液晶表示装置における照明駆動制御装置であって、該照明駆動制御装置は、一次側及び二次側にそれぞれ一次巻線及び二次巻線を有するスイッチングトランス１２を備え、スイッチングトランス１２の一次側には、パルス発生器２１、スイッチングトランジスタ８及び直流電源１０が設けられ、スイッチングトランス１２の二次側には、整流ダイオード１４、ＲＧＢの各色ＬＥＤ１６ａ、１６ｂ、１６ｃ、発光制御トランジスタ１８ａ、１８ｂ、１８ｃ及び可変抵抗器２０ａ，２０ｂ，２０ｃが設けられ、パルス幅を調整可能なパルス発生器２１を直接スイッチングトランジスタ８のゲートに接続し、このパルス発生器２１には、パルス信号のデューティ比を記憶する記憶装置７が接続され、パルス発生器２１により発生させるパルス信号のデューティ比をＲＧＢのそれぞれに対して設定して、パルス発生器２１に接続されたＥＥＰＲＯＭなどの記憶装置７に予め格納しておくことにより、各色ＬＥＤ１６ａ〜１６ｃの駆動電圧を調整することができ、スイッチングトランス１２の二次側における二次巻線の端部には、整流ダイオード１４を介してバックライトのＲＧＢの各色ＬＥＤ１６ａ〜１６ｃが並列に接続され、整流ダイオード１４と各色ＬＥＤ１６ａ〜１６ｃとの間には、それぞれ発光制御トランジスタ１８ａ〜１８ｃ及び可変抵抗器２０ａ〜２０ｃが配置され、発光制御トランジスタ１８ａ〜１８ｃのゲートには、それぞれ対応する発光制御信号Ｒsig、Ｇsig、Ｂsigが入力され、発光制御信号Ｒsig、Ｇsig、Ｂsigの入力に基づいて、対応する各色ＬＥＤ１６ａ〜１６ｃが発光する、照明駆動制御装置。」
　
　
（２）対比
　
ア　引用発明の「直流電源１０」、「ＲＧＢの各色ＬＥＤ１６ａ、１６ｂ、１６ｃ」、「記憶装置７」、「一次側及び二次側にそれぞれ一次巻線及び二次巻線を有するスイッチングトランス１２」、及び「照明駆動制御装置」は、それぞれ本願補正発明の「電源」、「３色の発光ダイオード」、「メモリテーブル」、「（前記電源からエネルギが供給される）インダクタ」及び「発光ダイオード駆動回路」に相当する。
　
イ　引用発明は、「複数の異なる色を所定の周期で順次発光させ、これに同期して画素電極をオン／オフ制御することによりカラー表示を行うフィールドシーケンシャル方式の液晶表示装置における照明駆動制御装置であって、該照明駆動制御装置は、一次側及び二次側にそれぞれ一次巻線及び二次巻線を有するスイッチングトランス１２を備え、スイッチングトランス１２の一次側には、パルス発生器２１、スイッチングトランジスタ８及び直流電源１０が設けられ、スイッチングトランス１２の二次側には、整流ダイオード１４、ＲＧＢの各色ＬＥＤ１６ａ、１６ｂ、１６ｃ、発光制御トランジスタ１８ａ、１８ｂ、１８ｃ及び可変抵抗器２０ａ，２０ｂ，２０ｃが設けられ、パルス幅を調整可能なパルス発生器２１を直接スイッチングトランジスタ８のゲートに接続し、このパルス発生器２１には、パルス信号のデューティ比を記憶する記憶装置７が接続され、パルス発生器２１により発生させるパルス信号のデューティ比をＲＧＢのそれぞれに対して設定して、パルス発生器２１に接続されたＥＥＰＲＯＭなどの記憶装置７に予め格納しておくことにより、各色ＬＥＤ１６ａ〜１６ｃの駆動電圧を調整することができる」ものであるので、引用発明と本願補正発明とは、「前記電源電圧の変換に用いられ、前記電源電圧、前記３色の各発光ダイオードの駆動電圧に応じたデューティー比が、前記３色の各発光ダイオードに対応付けられて格納されたメモリテーブル」及び「前記電源からエネルギが供給されるインダクタを有し、前記メモリテーブルに格納された前記デューティー比に応じて前記インダクタがエネルギのチャージと放出とを繰り返すことにより、前記電源電圧を前記３色の各発光ダイオードのそれぞれに対応した駆動電圧に時間的に切り替えながら変換して前記各発光ダイオードに供給する電圧変換手段」を具備する点で一致する。
　
ウ　引用発明は、「複数の異なる色を所定の周期で順次発光させ、これに同期して画素電極をオン／オフ制御することによりカラー表示を行うフィールドシーケンシャル方式の液晶表示装置における照明駆動制御装置であって、発光制御トランジスタ１８ａ〜１８ｃのゲートには、それぞれ対応する発光制御信号Ｒsig、Ｇsig、Ｂsigが入力され、発光制御信号Ｒsig、Ｇsig、Ｂsigの入力に基づいて、対応する各色ＬＥＤ１６ａ〜１６ｃが発光する」ものであるので、引用発明の「発光制御トランジスタ１８ａ、１８ｂ、１８ｃ」と本願補正発明の「切り換え手段」とは、「前記電圧変換手段により得られた前記３色の発光ダイオードのそれぞれに対応した前記駆動電圧を時分割で対応した発光ダイオードに順次印加する切り換え手段」である点で一致する。
　
エ　上記ア〜ウから、本願補正発明と引用発明とは、
「電源と、
　３色の発光ダイオードと、
　前記電源電圧の変換に用いられ、前記電源電圧、前記３色の各発光ダイオードの駆動電圧に応じたデューティー比が、前記３色の各発光ダイオードに対応付けられて格納されたメモリテーブルと、
　前記電源からエネルギが供給されるインダクタを有し、前記メモリテーブルに格納された前記デューティー比に応じて前記インダクタがエネルギのチャージと放出とを繰り返すことにより、前記電源電圧を前記３色の各発光ダイオードのそれぞれに対応した駆動電圧に時間的に切り替えながら変換して前記各発光ダイオードに供給する電圧変換手段と、
　前記電圧変換手段により得られた前記３色の発光ダイオードのそれぞれに対応した前記駆動電圧を時分割で対応した発光ダイオードに順次印加する切り換え手段と、
　を具備する発光ダイオード駆動回路。」である点で一致し、以下の点で相違する。
　
相違点１：
　本願補正発明は、「３色の発光ダイオード」が「複数の順方向電圧の異なる」もので、「各発光ダイオード」に「それぞれの順方向電圧に対応した駆動電圧」が供給されるのに対し、引用発明がそのようなものであるか明らかでない点。
　
相違点２：
　本願補正発明は、「メモリテーブル」に、「前記電源電圧、前記３色の各発光ダイオードの駆動電圧及び負荷電流に応じた周波数及びデューティー比が、前記３色の各発光ダイオードに対応付けられて格納され」、「電圧変換手段」は、「前記メモリテーブルに格納された前記周波数及びデューティー比に応じて、前記電源電圧を変換」するのに対し、引用発明は、「記憶装置７」に、「ＲＧＢのそれぞれに対して設定したパルス信号のデューティ比を予め格納」し、「このパルス信号のデューティ比によって、直流電源１０を各色ＬＥＤ１６ａ〜１６ｃの駆動電圧に調整する」点。
　
　
（３）判断
　
ア　相違点１について
　青のＬＥＤと赤のＬＥＤとは順方向電圧が異なり、点灯時の駆動電圧が異なることは、本願出願時における技術常識（例えば、拒絶査定において引用された特開平７−１２９１００号公報の段落【０００２】〜【０００３】のほか、特表２０００−５０３１３３号公報の第３５頁第１５〜１８行及び第４０頁第１６行〜第４１頁第１２行を参照。）であるところ、引用発明は、「ＲＧＢの各色ＬＥＤ１６ａ、１６ｂ、１６ｃ」を駆動制御するものであって、上記技術常識を踏まえると、引用発明は、本願補正発明の相違点１に係る構成を具備するものと認められるから、相違点１は実質的な相違ではない。
　
イ　相違点２について
　「電源からエネルギが供給されるインダクタを有し、前記インダクタのエネルギのチャージと放出とを繰り返すことで、前記電源電圧を所定電圧に変換する電圧変換手段において、エネルギー変換効率を高めるため、負荷電流に応じて、最適な周波数及びデューティー比で、前記インダクタのエネルギのチャージと放出とを繰り返すこと」は本願出願時において周知の技術（例えば、特開平１０−３２３０２７号公報の段落【００１０】〜【００１７】、特開２０００−２５２９１４号公報の段落【０１３５】〜【０１３９】を参照。）であるので、引用発明にこの周知技術を適用して、引用発明の「記憶装置７」に、「ＲＧＢのそれぞれに対して、エネルギー変換効率を高めるため、負荷電流に応じて、最適に設定したパルス信号の周波数及びデューティー比を予め格納し」、「このパルス信号の周波数及びデューティ比によって、直流電源１０を各色ＬＥＤ１６ａ〜１６ｃの駆動電圧に調整する」ようにして、引用発明を本願補正発明の相違点２に係る構成とすることは、当業者が容易になし得たことである。
　
　よって、本願補正発明は、引用発明及び周知技術に基づいて当業者が容易に発明をすることができたものであるから、特許法第２９条第２項の規定により特許出願の際独立して特許を受けることができない。
　
　
（４）むすび
　以上のとおりであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。　　
　
　
第３　本願発明について
１．本願発明
　平成２１年４月１０日付け手続補正は、上記のとおり却下されたので、本願特許請求の範囲は、平成２０年５月２３日付け手続補正書に記載されたとおりのものであると認められるところ、請求項１に係る発明は次のものである。 
「電源と、
　複数の順方向電圧の異なる３色の発光ダイオードと、
　前記電源電圧の変換に用いられ、前記電源電圧、前記３色の各発光ダイオードの駆動電圧及び負荷電流に応じた周波数及びデューティー比が、前記３色の各発光ダイオードに対応付けられて格納されたメモリテーブルと、
　前記電源からエネルギが供給されるインダクタを有し、前記メモリテーブルに格納された前記周波数及びデューティー比に応じて前記インダクタがエネルギのチャージと放出とを繰り返すことにより、前記電源電圧を前記３色の各発光ダイオードの順方向電圧に対応した駆動電圧に変換して前記各発光ダイオードに供給する電圧変換手段と、
　前記電圧変換手段により得られた前記駆動電圧を時分割で前記３色の各発光ダイオードのいずれかに順次印加する切り換え手段と、
　を具備することを特徴とする発光ダイオード駆動回路。」（以下「本願発明」という。）
 　 
２．引用例・引用発明
　上記第２　３．（１）に記載のとおりのものである。
　
３．対比・判断 
　本願発明は、本願補正発明において、「前記電源電圧を前記３色の各発光ダイオードの順方向電圧に対応した駆動電圧に変換して前記各発光ダイオードに供給する電圧変換手段」を「前記電源電圧を前記３色の各発光ダイオードのそれぞれの順方向電圧に対応した駆動電圧に時間的に切り替えながら変換して前記各発光ダイオードに供給する電圧変換手段」に限定すること、及び、「前記電圧変換手段により得られた前記駆動電圧を時分割で前記３色の各発光ダイオードのいずれかに順次印加する切り換え手段」を「前記電圧変換手段により得られた前記３色の発光ダイオードのそれぞれの順方向電圧に対応した前記駆動電圧を時分割で対応した発光ダイオードに順次印加する切り換え手段」に限定することを省いたものである。
　そうすると、本願発明の発明特定事項をすべて含み、さらに限定を付加したものに相当する本願補正発明が、上記第２　３．（３）で検討したとおり、引用発明及び周知技術に基づいて当業者が容易に発明をすることができたものであるから、本願発明も同様の理由により、引用発明及び周知技術に基づいて当業者が容易に発明をすることができたものである。
　
４．むすび 
　したがって、本願発明は、引用発明及び周知技術に基づいて当業者が容易に発明をすることができたものであるから、特許法第２９条第２項の規定により特許を受けることができない。 
　よって、結論のとおり審決する。